(57)【要約】      （修正有）【課題】ラケットが円滑に取り出されうるラケット用バッグを提供する。【解決手段】バッグは、収納室３２を備えている。この収納室３２は、第一シート、第二シート、左サイドシート１８、右サイドシート２０、底シート２２及び天シート２４に囲まれている。バッグはさらに、この収納室３２の中に位置するグリップ置き２６を有している。このグリップ置き２６は、底シート２２から離間している。収納室３２にラケット７０が収納されたときにこのラケット７０のグリップ７４が上記グリップ置き２６によって支持される位置に、このグリップ置き２６が存在している。底シート２２とグリップ置き２６との間のスペースには、靴、ボール、タオル、衣類等の物品が収納されうる。【選択図】図３
0003183350.tif 000002
【実用新案登録請求の範囲】
【請求項１】
ラケットのための収納室を形成する前シート、後シート及び底シートと、この収納室の中に位置するグリップ置きとを備えており、
上記グリップ置きが、上記底シートから離間しており、
上記収納室にラケットが収納されたときにこのラケットのグリップが上記グリップ置きによって支持される位置に、上記グリップ置きが存在しているラケット用バッグ。
【請求項２】
上記グリップ置きが、上記前シートと上記後シートとの間に張り渡されている請求項１に記載のバッグ。
【請求項３】
上記グリップ置きが、主部、前部及び後部を有しており、
上記前部が上記前シートに固定されており、
上記後部が上記後シートに固定されている請求項２に記載のバッグ。
【請求項４】
上記前部が面ファスナーによって上記前シートに固定されており、
上記後部が他の面ファスナーによって上記後シートに固定されている請求項３に記載のバッグ。
【請求項５】
上記底シートと上記グリップ置きとの間に位置しうるポケットを有する請求項１から４のいずれかに記載のバッグ。
【請求項６】
上記底シートと上記グリップ置きとの距離が５ｃｍ以上である請求項１から５のいずれかに記載のバッグ。
【考案の詳細な説明】
【技術分野】
【０００１】
本考案は、テニス、バドミントン等に用いられるラケットが収納されるバッグに関する。
【背景技術】
【０００２】
テニスプレーヤーは、ラケットをバッグに収納して持ち歩く。プレーヤーは、このバッグにボール、タオル、衣類等も収納する。これらの収納に適したバッグが、実用新案登録第３０４６４４１号公報に記載されている。
【先行技術文献】
【特許文献】
【０００３】
【特許文献１】実用新案登録第３０４６４４１号公報
【考案の概要】
【考案が解決しようとする課題】
【０００４】
バッグに収納された状態では、ラケットのグリップは、バッグの底の近くに位置している。このラケットをバッグから取り出すとき、プレーヤーはグリップを引き上げる。このとき、グリップエンドがバッグの内面と擦れ合う。この擦れ合いは、ラケットの円滑な取り出しを阻害する。
【０００５】
前述の通り、バッグにはボール、タオル、衣類等も収納される。これらの物品がグリップの上に載っていると、ラケットの円滑な取り出しはいっそう困難である。
【０００６】
プレーヤーは、ラケットの円滑な取り出しを望んでいる。本考案の目的は、ラケットが円滑に取り出されうるバッグの提供にある。
【課題を解決するための手段】
【０００７】
本考案に係るラケット用バッグは、ラケットのための収納室を形成する前シート、後シート及び底シートと、この収納室の中に位置するグリップ置きとを備える。このグリップ置きは、底シートから離間している。収納室にラケットが収納されたときに、このラケットのグリップがグリップ置きによって支持される位置に、このグリップ置きが存在する。
【０００８】
好ましくは、グリップ置きは、前シートと後シートとの間に張り渡される。
【０００９】
グリップ置きは、主部、前部及び後部を有しうる。好ましくは、前部は前シートに固定され、後部は後シートに固定される。好ましくは、前部は面ファスナーによって前シートに固定され、後部は他の面ファスナーによって後シートに固定される。
【００１０】
好ましくは、バッグは、底シートとグリップ置きとの間に位置しうるポケットを有する。
【００１１】
好ましくは、底シートとグリップ置きとの距離は、５ｃｍ以上である。
【考案の効果】
【００１２】
本考案に係るラケット用バッグでは、底シートから離間した位置にあるグリップ置きに、ラケットのグリップが置かれる。従って、このバッグからラケットが円滑に取り出されうる。
【図面の簡単な説明】
【００１３】
【図１】図１は、本考案の一実施形態に係るラケット用バッグが示された正面図である。
【図２】図２は、図１のバッグが示された平面図である。
【図３】図３は、図２のIII−III線に沿った断面図である。
【図４】図４は、図３のIV−IV線に沿った部分拡大断面図である。
【考案を実施するための形態】
【００１４】
以下、適宜図面が参照されつつ、好ましい実施形態に基づいて本考案が詳細に説明される。
【００１５】
図１−４に示されたラケット用バッグ２は、本体４、ハンドル６及びショルダーベルト８を備えている。ハンドル６は、本体４に取り付けられている。ショルダーベルト８も、本体４に取り付けられている。説明の便宜上、図２−４には、本体４のみが図示されている。
【００１６】
本体４は、第一シート１０（図４参照）、第二シート１２、第三シート１４、第四シート１６、左サイドシート１８（図３参照）、右サイドシート２０、底シート２２、天シート２４、３つのグリップ置き２６（図４参照）及び２つのポケット２８を備えている。第一シート１０、第二シート１２、第三シート１４、第四シート１６、左サイドシート１８、右サイドシート２０、底シート２２及び天シート２４は、織布からなる。織布の典型的な材質は、合成繊維である。これらのシート１０、１２、１４、１６、１８、２０、２２、２４が、皮革、樹脂板等からなってもよい。
【００１７】
第一シート１０、第二シート１２、左サイドシート１８、右サイドシート２０、底シート２２及び天シート２４に囲まれることにより、第一収納室３０が形成されている。この第一収納室３０にとって、第一シート１０は前シートであり、第二シート１２は後シートである。第一収納室３０は、ポケット２８を含んでいる。
【００１８】
第二シート１２、第三シート１４、左サイドシート１８、右サイドシート２０、底シート２２及び天シート２４に囲まれることにより、第二収納室３２が形成されている。この第二収納室３２にとって、第二シート１２は前シートであり、第三シート１４は後シートである。
【００１９】
第三シート１４、第四シート１６、左サイドシート１８、右サイドシート２０、底シート２２及び天シート２４に囲まれることにより、第三収納室３４が形成されている。この第三収納室３４にとって、第三シート１４は前シートであり、第四シート１６は後シートである。第三収納室３４は、ポケット２８を含んでいる。
【００２０】
図２に示されるように、天シート２４は、第一ジップファスナー３６、第二ジップファスナー３８及び第三ジップファスナー４０を備えている。
【００２１】
第一ジップファスナー３６は、スライダー（図示されず）と多数のティース４２とを備えている。第一ジップファスナー３６が開かれた状態において、開口が形成される。この開口を通して、第一収納室３０に物品が出し入れされうる。
【００２２】
第二ジップファスナー３８は、スライダー（図示されず）と多数のティース４４とを備えている。第二ジップファスナー３８が開かれた状態において、開口が形成される。この開口を通して、第二収納室３２に物品が出し入れされうる。
【００２３】
第三ジップファスナー４０は、スライダー（図示されず）と多数のティース４６とを備えている。第三ジップファスナー４０が開かれた状態において、開口が形成される。この開口を通して、第三収納室３４に物品が出し入れされうる。
【００２４】
図１に示されるように、第一シート１０は、前ジップファスナー４８を備えている。この前ジップファスナー４８は、スライダー５０と多数のティース５２とを備えている。前ジップファスナー４８が開かれた状態において、開口が形成される。この開口を通して、第一収納室３０のポケット２８に物品が出し入れされうる。
【００２５】
図４に示されるように、第四シート１６は、後ジップファスナー５４を備えている。図示されていないが、この後ジップファスナー５４は、スライダーと多数のティースとを備えている。後ジップファスナー５４が開かれた状態において、開口が形成される。この開口を通して、第三収納室３４のポケット２８に物品が出し入れされうる。
【００２６】
図４に示されるように、それぞれのグリップ置き２６は、主部５６、前部５８及び後部６０を備えている。図３に示されるように、このグリップ置き２６はさらに、サイド部６２を備えている。主部５６、前部５８、後部６０及びサイド部６２は、一体的に形成されている。このグリップ置き２６は、織布からなる。グリップ置き２６が、スポンジを内蔵する主部５６を有してもよい。グリップ置き２６が、メッシュシート、皮革、樹脂板等からなってもよい。
【００２７】
図４に示されるように、前部５８は、面ファスナー６４によって前シートに固定されている。この面ファスナー６４は、フック部６６とループ部６８とを有している。フック部６６は、前部５８に縫い付けられている。ループ部６８は、前シートに縫い付けられている。フック部６６がループ部６８に係合することにより、前部５８が前シートに固定されている。後部６０も同様に、面ファスナー６４によって後シートに固定されている。前部５８及び後部６０の固定により、グリップ置き２６が、前シートと後シートとの間に張り渡されている。グリップ置き２６は、底シート２２よりも上方に位置している。グリップ置き２６は、底シート２２と離間している。
【００２８】
図３に示されるように、サイド部６２も、前部５８及び後部６０と同様に、面ファスナー６４によって左サイドシート１８に取り付けられている。
【００２９】
図３には、仮想線によってテニスラケット７０が示されている。このラケット７０は、第二収納室３２に収納されている。このラケット７０は、ヘッド７２とグリップ７４とを備えている。ヘッド７２の一部は、底シート２２に当たっている。一方、グリップ７４は、グリップ置き２６に載せられている。換言すれば、第二収納室３２にラケット７０が収納されたときにこのラケット７０のグリップ７４がグリップ置き２６によって支持される位置に、グリップ置き２６が存在している。
【００３０】
前述の通り、グリップ置き２６は底シート２２と離間している。従って、このグリップ置き２６に載せられたグリップ７４も、底シート２２から離間している。グリップ７４は、第二収納室３２において、比較的高い位置にある。底シート２２とグリップ置き２６との間には、十分なスペースが存在する。このスペースに、ボール、タオル、衣類等の物品が収納されうる。
【００３１】
第二収納室３２からラケット７０が取り出されるときは、第二ジップファスナー３８が開かれる。プレーヤーは第二収納室３２に手を入れ、グリップ７４を持つ。プレーヤーは、このグリップ７４を上方へと引き上げる。前述の通り、グリップ７４が第二収納室３２において比較的高い位置にあるので、このグリップ７４が左サイドシート１８等に引っかかることなく、円滑にラケット７０が取り出される。ボール、タオル、衣類等の物品はグリップ置き２６よりも下方にあるので、ラケット７０の取り出しを妨げない。
【００３２】
図示されないが、第一収納室３０でも、グリップ７４はグリップ置き２６に載せられる。従ってグリップ７４は、第一収納室３０において、比較的高い位置にある。底シート２２とグリップ置き２６との間には、十分なスペースが存在する。このスペースに、ポケット２８（図４参照）が存在する。このポケット２８に、靴、ボール、タオル、衣類等の物品が収納されうる。グリップ７４が第一収納室３０において比較的高い位置にあるので、このグリップ７４が左サイドシート１８等に引っかかることなく、円滑にラケット７０が取り出される。ポケット２８はグリップ置き２６よりも下方にあるので、このポケット２８に収納された物品は、ラケット７０の取り出しを妨げない。
【００３３】
第一収納室３０において、グリップ置き２６とポケット２８との間に、物品が収納されてもよい。第一収納室３０に、ポケット２８が存在しなくてもよい。
【００３４】
図示されないが、第三収納室３４でも、グリップ７４はグリップ置き２６に載せられる。従ってグリップ７４は、第三収納室３４において、比較的高い位置にある。底シート２２とグリップ置き２６との間には、十分なスペースが存在する。このスペースに、ポケット２８（図４参照）が存在する。このポケット２８に、靴、ボール、タオル、衣類等の物品が収納されうる。グリップ７４が第三収納室３４において比較的高い位置にあるので、このグリップ７４が左サイドシート１８等に引っかかることなく、円滑にラケット７０が取り出される。ポケット２８はグリップ置き２６よりも下方にあるので、このポケット２８に収納された物品は、ラケット７０の取り出しを妨げない。第三収納室３４に、ポケット２８が存在しなくてもよい。
【００３５】
第三収納室３４において、グリップ置き２６とポケット２８との間に、物品が収納されてもよい。第三収納室３４に、ポケット２８が存在しなくてもよい。
【００３６】
図１において矢印Ｌで示されているのは、底シート２２とグリップ置き２６との距離である。ラケット７０の取り出しの容易の観点から、距離Ｌは５ｃｍ以上が好ましく、１０ｃｍ以上がより好ましく、１５ｃｍ以上が特に好ましい。距離Ｌは、３０ｃｍ以下が好ましい。
【００３７】
このバッグ２では、面ファスナー６４によってグリップ置き２６が前シート及び後シートに固定されている。固定が、縫製によって達成されてもよい。固定が、接着剤によって達成されてもよい。前シート及び後シートへの着脱が自在であるとの観点から、面ファスナー６４による固定が好ましい。グリップ置き２６が、天シート２４からつり下げられてもよい。
【００３８】
このバッグ２では、３つの収納室のそれぞれに、グリップ置き２６が存在している。バッグ２が、グリップ置き２６が存在する収納室と、グリップ置き２６が存在しない収納室とを備えてもよい。
【００３９】
このバッグ２では、収納室の数は３である。この数は１でもよく、２でもよく、４以上でもよい。
【産業上の利用可能性】
【００４０】
本考案に係るバッグには、テニスラケット、バドミントンラケット、スカッシュラケット等が収納されうる。
【符号の説明】
【００４１】
２・・・ラケット用バッグ
４・・・本体
１０・・・第一シート
１２・・・第二シート
１４・・・第三シート
１６・・・第四シート
１８・・・左サイドシート
２０・・・右サイドシート
２２・・・底シート
２４・・・天シート
２６・・・グリップ置き
２８・・・ポケット
３０・・・第一収納室
３２・・・第二収納室
３４・・・第三収納室
５６・・・主部
５８・・・前部
６０・・・後部
６２・・・サイド部
６４・・・面ファスナー
６６・・・フック部
６８・・・ループ部
【図１】
0003183350.tif 000003
【図２】
0003183350.tif 000004
【図３】
0003183350.tif 000005
【図４】
0003183350.tif 000006